(57)【要約】【課題】本発明の目的は、任意の製品を含む又は包囲する容器、入れ物（Ｂ）などの外壁に接着固定するようにした複合データのラベルを提供することであり、この複合データのラベルが少なくとも２枚の重なり合うシート（１、２）から構成され、各シートがその両面のうちの少なくとも一方の面にデータを載せており、背面シート（２）が前記容器の外壁に対してその全面に亘って固定されるようになされているものである。【解決手段】前面シート（１）には、前面及び背面シート（１、２）がラベルを配置した際に互いに押し付け合うように第１の縁部が配設されており、且つ前面シート（１）が少なくとも１つの切り取り帯状部（７）を有することを特徴とする。
2005518555.tif 000002
【特許請求の範囲】
【請求項１】
任意の製品を含む又は包囲する容器、入れ物（Ｂ）などの外壁に接着固定され、少なくとも２枚の重なり合うシート（１、２）から構成され、各シートがその両面のうちの少なくとも一方の面にデータを載せており、前記背面シート（２）が前記容器の外壁に対してその全面に亘って固定されるようになされている複合データのラベルにおいて、前記前面シート（１）には、前記前面及び背面シート（１、２）がラベルを配置した際に互いに押し付け合うように第１の縁部が配設されており、且つ前記前面シート（１）は、少なくとも１つの切り取り帯状部（７）を有することを特徴とする複合データのラベル。
【請求項２】
前記前面シート（１）の前記第１の縁部は、前記背面シート（２）を越えて延びる部分（５）により延長されており、該部分は、前記容器の外壁に接着固定されるようになされ、起こりうる分離も可能とする折曲線（６）により前記シート（１）の残りから分離されることを特徴とする請求項１記載のラベル。
【請求項３】
前記前面シート（１）の前記第１の縁部は、前記背面シート（２）を越えて延びる部分（５）により延長され、隣接する他のシートが前記前面及び背面シート（１、２）間に折り畳まれ、この他のシートの前記背面シート（２）を越えて延びる前記部分は、前記容器の外壁に接着固定されるようになされ、前記他のシートは、所望の場合、アコーディオン式に折り曲げられ、または巻き上げられた１枚または数枚の他のシートにより延長されることを特徴とする請求項１記載のラベル。
【請求項４】
前記前面シート（１）の前記第１の縁部は、前記背面シート（２）の縁部に対向しており、該２つの対向する縁部が接着線（２１）により接続されることを特徴とする請求項１記載のラベル。
【請求項５】
前記切り取り帯状部（７）は、前記前面シート（１）の前記第１の縁部に隣接することを特徴とする請求項１〜４のいずれか１項記載のラベル。
【請求項６】
前記切り取り帯状部（７）は、前記前面シート（１）の他の縁部に隣接することを特徴とする請求項１〜４のいずれか１項記載のラベル。
【請求項７】
前記切り取り帯状部（７）は、前記前面シート（１）の対向する２つの縁部に並行しており、これら縁部の各々から離間されていることを特徴とする請求項１〜４のいずれか１項記載のラベル。
【請求項８】
前記前面シート（１）の前記第１の縁部に対して平行または垂直に互いに並行して配された数個の平行な切り取り帯状部を備えることを特徴とする請求項１〜４のいずれか１項記載のラベル。
【請求項９】
単一片からなり、隣接するシート（１、２、１２、１４）から構成され、前記前面シート（１）が前記ラベルの輪郭の一側部または一部に沿って前記背面シート（２）に繋がり、前記切り取り帯状部（７）が前記前面及び背面シート（１、２）の折り曲げ縁部（３）に隣接することを特徴とする請求項２又は３記載のラベル。
【請求項１０】
前記シート（１、２、１２、１４）は、長方形状であり、アコーディオン式に折り畳まれているか、或いは巻き上げられていることを特徴とする請求項９記載のラベル。
【請求項１１】
前記前面シート（１）は、ラベルの側方縁部に沿って延びる帯状部（５）を備え、前記切り取り帯状部（７）は、前記対向する側方縁部に沿って設けられており、前記背面シート（２）に隣接し、抵抗力のより低い第１の線（３）により前記背面シート（２）から分離されるとともに、抵抗力のより低い第２の線（８）により前記前面シート（１）の残りの部分から分離されることを特徴とする請求項１０記載のラベル。
【請求項１２】
前記又は各切り取り帯状部（７）は、タブ（１０）及び／又は突出する接続部材（２６）などの取り外しを容易にする手段を備えることを特徴とする請求項１〜１１のいずれか１項記載のラベル。
【請求項１３】
前記多様なシート（１、２、１２、１４）を分離する折曲線（３、４、１３）、及び／又は前記前面シート（１）に設けられた分離線（６、８）は、マイクロミシン目を有することを特徴とする請求項１〜１２のいずれか１項記載のラベル。
【請求項１４】
前記前面シート（１）の延長帯状部（５）には、前記背面シート（２）の部分（１６）を露出させる切り欠き（１５）が設けられていることを特徴とする請求項２および請求項９〜１３のいずれか１項記載のラベル。
【請求項１５】
前記切り取り帯状部（７）には、前記シート（１、２、１２）のうちの少なくとも１枚のシートの一部（１７、１８）を露出させる切り欠き（１９）が設けられていることを特徴とする請求項１〜１４のいずれか１項記載のラベル。
【請求項１６】
接着面と印字面とを有する紙支持体から請求項１〜１５のいずれか１項記載のラベルを製造する方法であって、前記前面シート（１）の適用後に該シートの露出面の印字を、前記シート（１）の接着面上に行うとともに、前記背面シート（２）の接着面と反対側の面には、好ましくは不透明インクを用いた印字を行い、該印字上にニスをコーティングするようにしたことを特徴とするラベルの製造方法。
【発明の詳細な説明】
【技術分野】
【０００１】
本発明は、複合データを有するラベルに関し、特に、容器、入れ物、又は任意の製品や食料品などを入れて包装する任意の包装箱に取り付けられ、各々がデータを載せている複数のシートからなるラベル型のデータ支持体に関するものである。
【背景技術】
【０００２】
従来、ボトルなどの容器に、ラベル、即ち従来のラベルに加えて、付属部材を付与することが知られている。これら付属部材は、追加ラベルや回数ラベルにより構成されたり、或いは多少複雑な構造のデータ支持体、例えば小さなチラシや厚紙を切り抜いた構造のものにより構成されており、多様な手段で容器に固定されている。
【発明の開示】
【発明が解決しようとする課題】
【０００３】
一般に、これら取り付けられた付属部材は、容器内に入った製品に多かれ少なかれ直接関連するデータを有している。かかる方式は、据付の性質および形態のために非常にコスト高であり実用的でない。
【０００４】
そこで、本発明は、既存の装置により独立して実施される多様な機能を兼ね備える単一の簡単な構造の複合データ手段を提供することを目的とする。これら多様な機能全てによれば、従来のラベルに必要とされた領域と追加データ表示用に与えられた他の領域との間に容器上の使用可能な空き領域を分離するようになる。
【課題を解決するための手段】
【０００５】
この目的のため、本発明は、任意の種類の製品を含む又は包囲する容器や入れ物などの外壁に接着固定された複合データのラベルを当該目的に合わせて提供する。この複合データのラベルは、少なくとも２枚の重なり合うシートから構成され、各シートがその両面のうちの少なくとも一方の面にデータを載せており、背面シートが前記容器の外壁に対してその全面に亘って固定されるようになされており、特に、前面シートには、前面及び背面シートがラベルを配置した際に互いに押し付け合うように第１の縁部が配設されており、且つ前面シートは、前記第１の縁部と対向する第２の縁部に沿って切り取り帯状部を有することを特徴としている。
【発明の効果】
【０００６】
本発明の実施形態によれば、前面シートの前記第１の縁部は、背面シートを越えて延びる部分により延長されており、この部分は、前記容器の外壁に接着固定されるようになされ、最終的な分離も可能とする折曲線によりシートの残りから分離されるものである。
【０００７】
ラベルは、特に容器の性能、例えば、食料品またはそれ以外の液体製品を含むガラスまたはプラスチック材料のボトルや、貯蔵食料またはあらゆる液体を保存する金属箱などの機能に応じて、任意の形状または大きさの外形をとることができる。
【０００８】
本発明の実施形態によれば、ラベルは一般的な長方形であり、前記越えて延びる部分、すなわち前面シートの延長部分が、例えば、ラベルの側方縁部の一方に沿って延びている。対向する縁部に沿っては、好ましくは、前面シートにおいて、抵抗力のより低い第１の線によりシートの残りの部分から分離される垂直方向の取り外し可能な帯状部が設けられる。当該取り外し可能な帯状部は、背面シートに隣接し、抵抗力のより低い第２の線によりこの背面シートから分離される。
【０００９】
当該帯状部の取り外しを容易とするために、この帯状部には、好ましくは取り外し用の切り欠きを区分する抵抗力のより低い横断線が設けられている。
【００１０】
ラベルは、勿論、重なり合う２枚以上のシート、例えば、３枚のシートから構成することができる。３枚目のシートは、前記前面シートと前記背面シートとの間に介在し、折曲線を有した状態で背面シートと列をなしてこれに固定される。こうして、３つの重なり合う折り返しに折り曲げられた単一片からなるラベルが得られる。
【００１１】
ラベルは、４又は５枚のシート、更には重なり合う６枚のシートからも構成することができる。
【００１２】
一般に、いわゆる背面シートは、いわゆる前面シートの縁部の一方に沿って並んでいる。またこれと対向する縁部に沿っては、連続するシートＮｏ．３、４、５、６があり、これらは、折曲線により適宜に分離され、アコーディオン式に折り曲げられまたは巻き上げられる。そして、これにより、複数シートの束が、例えばワインボトルなどの従来のラベルの機能を好ましくは有する、いわゆる前面シートの大きさで、薄く平坦な組立体を形成するようになる。
【００１３】
変形例としては、前面シートは、背面シートを越えて延びることにより延長することができ、前面および背面シート間には隣接する他のシートが折り畳まれる。また、かかる他のシートの背面シートを越えて延びる部分が接着剤でコーティングされている。また所望の場合、前面シートは、アコーディオン式で折り畳まれ、または巻き上げられた１枚か数枚の他のシートにより延長することができる。
【００１４】
ラベル上で得られる他のデータは、前面シートの内側面、背面シートの外側面、および介在する追加シートの両面に位置する。
【００１５】
取り外し可能な帯状部を切り取ると、前面シートが自由になり、背面シートを越えて延びる部分を前記折曲線に沿って回転することにより、本のページのように開けることができる。よって、この可能な中間シートは、自由にアクセス可能であり、展開したり折り畳んだ状態を開いたりすることができる。
【００１６】
本発明はまた、かかるラベル、特に、限定するものではないが、ワインなどのボトルに貼るのに適したラベルの製造方法をその目的に合わせて提供するものである。
【００１７】
特に、本発明の目的は、単一片からなる複合データのラベルであって当該ラベルの一側部に沿って背面シート上に繋がった前面シートから構成されたラベルを、この背面シートが１枚か数枚の中間シートに固定されていてもいなくても、接着面と印刷面とを有する紙支持体から製造する方法に関する。特に、前面シートの据付後に、露出面の印字を前記シートの接着面上で行うとともに、背面シートの接着面と反対側の面には、好ましくは不透明インクを用いた印字を行い、当該印字上にラッカーをコーティングするようにしたことを特徴とする。
【００１８】
かかるラベルは、特に、連続的な応用または機械的な応用に適応するものである。
【００１９】
本発明の他の実施形態によれば、前面シートは、背面シートの縁部に対向する縁部を有し、これら２つの対向する縁部は、接着線により接続されている。
【発明を実施するための最良の形態】
【００２０】
本発明の他の特徴および効果は、以下の本発明に係るラベルの実施形態についての説明から明らかになるであろう。またこの説明は、単なる実施例を取り上げて添付図面と組み合わせてなされるものである。
【００２１】
図１に、本発明に係るラベルであり、長方形で、例えばワインのボトル用のラベルタイプのものを示す。
【００２２】
ラベルは、２枚の重ね合わせた長方形シートから構成される。これら長方形シートは、従来のラベルデータを載せるようにしそれ故必要なことだがラベルをボトルに据付けた際にはどんな場合にも見ることができる、いわゆる前面シート１と、ボトルに接着剤で固定されるようになされた、いわゆる背面シート２とをそれぞれ備える。
【００２３】
これら２枚のシート１及び２は、例えば、ラベルの左側の垂直方向縁部を規定する折曲線３の右側に固定される。また、この折曲線は、抵抗力がより低く、後述するように、最終的に分離可能とするものである。
【００２４】
本発明によれば、前面シート１は、背面シート２を越えて、当該シート２の右側の垂直方向縁部４に対して例えばその右側まで延長している。
【００２５】
シート１の延長部分５は、例えば、細長い長方形の帯状をなしており、折曲線６によりシート１の残りの部分から分離される。
【００２６】
図１に示す実施形態では、前面シート１は、また左側に細長い長方形の帯状部７を有し、これは例えば帯状部５と同一な形状であり、抵抗力のより低い線８によりシート１の残りから分離される。
【００２７】
最終的に、帯状部７の上方部には、抵抗力のより低い横断線９が設けられ、取り外し可能な三角形状タブ１０を区切っている。
【００２８】
ラベル１、２は、材料の単一片からなり、好ましくは、紙、厚紙、プラスチックフィルム、金属、想定される使用に応じたあらゆる性質の平坦又は湾曲した支持体上への接着又は他の固定方法に適応した柔軟性のある材料からなる。
【００２９】
図２は、例えば、ワインボトルＢに配置された図１のタイプのラベルＥを示している。
【００３０】
前面シート１は、ラベルの見える表面全体を占めており、必要な或いは有用な通常データの全てを載せている。
【００３１】
ラベルＥは、一方、背面シート２によりボトルに接着されており、その背面シートのボトルに臨む表面が全て従来の接着方法で通常の通りに固定される。また、ラベルＥは、他方、前面シート１の延長帯状部５によっても接着されておりこの帯状部５の背面もまたボトルＢに完全に接着されている。
【００３２】
ラベルＥは、従来手段により取り扱われ据付けられる。ラベルは、個別に扱われ、畳んだ状態で保存され、糊又は接着剤の膜が、ラベルの背面に既存の方法で形成され、そのラベルの２枚のシート１及び２が互いに押し付けられる。
【００３３】
シート１の内側面およびシート２の前面に載せられた情報にアクセスを希望する場合、タブ１０（図２）を取り除くと、切り取り帯状部７を容易く取り外すことができ、これで十分となる。ここで、線３および線８は、抵抗力のより低い線となされている。そして、シート１は、本のページをめくるように、線６の右側に回転することで展開される（図３）。
【００３４】
なお、留意すべき点としては、ラベルＥの帯状部５および７の位置は入れ替え可能であり、取り外し可能な帯状部７をラベルの右側とし、シート１をボトルの左側に向かって展開し図３に示すような右側方向には開かないようにしても良い。
【００３５】
また変形例として、切り取り帯状部は、図１中の７′に示すように、線６に隣接していても良い。この場合、帯状部７′を切り取った後に、シートを線３周りに展開する。また、切り取り部分の帯状部は、垂直方向でありながらも線３および線６から離れていても良く、例えば、ラベルの中央領域であっても良い。そして、シートは、帯状部を切り取った後、線３および線６のそれぞれの周りに回転させることにより半分ずつ２枚に分離しても良い。
【００３６】
更なる他の変形例によれば、重なり合う複数の平坦なラベルの場合、前面シート１に水平方向に並列して数個の平行な切り取り帯状部が設けられていても良い。
【００３７】
図４に、３枚のシートを有するラベルの変形例を示す。すなわち、前面シート１と、隣接する背面シート２と、それを延長させる第３のシート１２とからなる。この第３のシートは、第２のシート２と同一の型からなり、シート１とシート２との間に介在される。
【００３８】
シート１２は、動きが自由になされており、背面シート２の縁部４に沿って当該背面シート２に簡単に繋がれている。
【００３９】
例えば、図４のラベルをボトルに配置した場合、まさに図２のラベルと同一な外形をとることになる。
【００４０】
シート１を展開する（図５）と、シート１２を解放することになり、シート１２が折曲線４周りを回転可能となり（線６と一致）、シート２の見える側の面上および勿論シート１の背面上と同様に、シート１２の両面上のデータを露出することとなる。
【００４１】
線４は、抵抗力のより低い線としても良く、所望の場合には、シート１２を全体にきれいに取り外すことができる。このためには、折曲線３、６、及び８と同様に、線４は、好ましくは、位置決めされたマイクロミシン目が設けられていると良い。
【００４２】
所望の場合、シート１２は、折曲線または抵抗力のより低い線として機能する自由縁部１３に沿って、図５中の破線１４で示されたシート１２と同一な形状の第４のシートにより延長することができる。
【００４３】
なお、５枚、６枚、またはそれ以上のかなり多くのシートを、背面シート２の縁部４に取り付けて、図５に示すようにアコーディオン式または巻上げ式で折り畳んで設けても良い。
【００４４】
一般に、本発明によるラベルは、単一片であり、互いに連続して連なる複数のシートにより構成される。
【００４５】
ラベルの形状は、いかなる形状でも良く、長方形、正方形、多角形、曲線形状などでも良い。そして、その輪郭の一側部、または一部に沿って、いわゆる前面シート１といわゆる背面シート２とが固定されて繋がれ、また正に取り外し可能となされている。ここで、前記輪郭の少なくとも一方側か、或いは少なくとも他方の一部に、特に、いわゆる前面シート１が部分的に背面シート２を越えて延長するが、存在する場合には、図４および図５のシート１２および１４などの中間シートがあり、これらシートが、必ずしも必要はないが好ましくは背面シート２と類似の形状を有している。
【００４６】
図４の実施形態では、シート１および２は、左側の垂直方向縁部に沿って繋がっているが、前面シート１はラベルの右側の垂直方向縁部に沿って背面シート２を越えて延長している。なお、この配置は、勿論、図２の実施形態の場合と逆としても良い。
【００４７】
同様に、シート１とシート２との間の繋ぎ目を、ラベルの上方部または下方部における上方または下方の水平縁部および延長した帯状部５に沿って設けても良い。この場合、取り外し可能な帯状部が、前面シート１を展開するに際し当該前面シートの延長帯状部とは反対側となるように設ける。
【００４８】
なお、勿論、図１の実施形態における切り取り帯状部７の位置を変形して、図４の実施形態に適用することができる。
【００４９】
図６は、図１のラベルの他の変形例としての実施形態を示している。この実施形態によれば、前面シート１の帯状部５には、図面参照番号１５で示すような切り込みが入れられており、背面シート２と同じ大きさとなるように延長部１６が設けられる。
【００５０】
一旦ラベルが配置されると、帯状部５は部分１６により完結するが、この帯状部の２つの部分は、カラーコードか、或いはシート１の背後に他のデータを見つけることができる旨を示す特定のデータにより分離することができる。
【００５１】
図７は、３つの各シート１、２、及び１２を有する図４のタイプのラベルに同一の原理を適用したものを示す図である。ここで、２枚の見えないシート２及び１２は、当該シートに取り付けられた各部分１７及び１８により指し示されており、またこの目的で設けられた切り欠き、すなわちシート１の取り外し可能な帯状部７の切り欠き１９とシート１２の切り欠き２０に現われる。
【００５２】
また図７の原理は、図１のラベルに適用可能であり、帯状部７の末尾に設けた切り欠きで背面シート２の一部を露出させても良い。
【００５３】
なお、図７のラベルでは、切り取り帯状部７は、何れの位置に配置されていても良く、例えば線６に隣接しても良いことに留意すべきである。
【００５４】
勿論、前記切り欠きやそれに協働する延長部の数、形状、大きさ、およびラベル中での局所的な形成位置は、幅広く変更可能である。
【００５５】
他の変形例によれば、ラベルは、前面シート１が背面シート２を越えて延長しないように構成しても良い。このためには、前面シート１は、背面シート２の縁部に臨む縁部を備え、これら２枚の縁部がラベルの製造中に接着線により接続される。
【００５６】
図８は、かかる実施形態を示している。図示するように、前面シート１は、取り外し可能な帯状部７を有し、この帯状部は、抵抗力のより低い線８と折曲線３とにより区切られており、当該折曲線が前面シート１と背面シート２との間を分離するようになされており、これら２枚のシート１及び２の２つの対向する他の縁部が、ラベルの高さ全体に亘って延びる接着線２１により互いに固定され接続されている。
【００５７】
図９は、背面シート２がシート１及び２を接続する接着線２１に沿って第１の内側シート１２により延長した変形例を示している。ここで、内側シート１２自身は、第２の内側シート１４により延長されており、シート１、１２、及び１４は、アコーディオン式に折り畳まれている。
【００５８】
なお、これら同様のシートは、巻き上げられて配されても良いことに留意されたい。
【００５９】
図中参照番号７として、前面シート１の取り外し可能な帯状部を示しているが、この帯状部は、再度記述するが、例えば、線２１に隣接する他の位置に配置されていても良い。
【００６０】
図１０は、図９によるラベルを示している。ここでは、帯状部７を取り外した後、シート１を展開している状態である。帯状部７は、再度記述するが、例えば、線２１に隣接する他の位置に配置されていても良い。
【００６１】
図１１は、更なる他の変形例を示している。ここでは、前面シート１が、背面シート２への繋ぎ目となる縁部３に対向して、部分５により延長されている。この部分５は、背面シート２を越えて延びており、それ自身、前面シート１と背面シート２との間に折り畳まれた他のシート２２により延長される。そして、このシート２２は、それ自身も更に他のシート２３（又は何枚かのシート）により延長される。前記追加シート２２、２３は、アコーディオン式に折り畳まれるか又は巻き上げられる。
【００６２】
シート２２の部分２４は、背面シート２を越えて延びており、接着剤がコートされている。この部分２４は、線４に臨む線２５により区分されており、前面シート１をラベルの支持体に確実に接着させる。
【００６３】
図中参照番号７として、前面シート１の切り取り帯状部を示している。この帯状部７は、他の位置、例えば、部分５に並列した位置に配置されていても良い。
【００６４】
好ましくは、シート２２は、切り取り帯状部７に対向するほど延長されていない。このため、２枚の側方の対向縁部が同一厚みとなるラベル（２枚のシート）が得られる。これにより、水平方向を維持する積層された複数のラベルを平坦な状態で保存することが容易となる。この状態は、ラベルの端部の１つが他の端部と異なる厚みを有する場合には実際有り得ないものである。
【００６５】
同様な理由で、かかる複数のラベルを予め接着剤でコーティングしシリコン被膜の帯状部上にロール状に堆積して保管すると、対称的なロール体となる。
【００６６】
上述した実施形態全てにおいて、タブ１０は、切り取り帯状部の握持を助長するのと同様な機能を持つ接続された関連部材により置き換えられ、あるいは完成することができる。この部材は、例えば、小さな帯状体、プルタブ、またはラベル内に位置し切り取り帯状部の高さで突出し容易な開放を確実とする小さな帯状体であると良い。図７の参照番号２６で示すように、かかる部材は、シート１とシート１２との間に挿入された小さい帯状体により構成され、シート１に接着され、自由端が部分１８の高さで利用可能となる状態で外方に延出している。また、図８および図９の実施形態の場合では、この部材は、接着線２１に組み込まれた細糸であり、切り取り帯状部がこの線２１に隣接するものでも良い。
【００６７】
最後に、本発明に係る多様なシートのラベルは、当該ラベルをあらゆるグラフィックスや色などで個性的にすることで、ボトルや容器や入れ物などに含まれる製品に関連しまたは互いに別個なあらゆる全ての種類のデータを載せることができる。
【００６８】
なお、例えば、追跡可能性や制御を目的として、平坦な電子チップをラベル内にシートの表面の何れかに配置することができる。
【００６９】
また、本発明は、その目的のため、かかるラベルの製造方法を提供するものである。特に、ここでいうラベルは、図中に示されたような類のもので、連続的な応用または機械的な応用に適応されたラベルである。
【産業上の利用可能性】
【００７０】
このような目的に向けて、本発明は、単一片からなる複合データのラベルを製造する方法を提供することを目的とする。この複合データのラベルは、ラベルの側部３に沿って背面シート２に繋げられた前面シートにより構成される。背面シート２は、１枚又は数枚の中間シート１２及び１４に固定されているか、或いは固定されていないが、接着面と印字面とを有する紙支持体からなる。特に、前面シート１を適用した後、その露出面の印字を、当該シート１の接着面上に行うとともに、背面シート２の接着面と反対側の面上に、好ましくは不透明なインクを用いて印字し、この印字上にラッカーをコーティングするようにしたことを特徴とする。
【００７１】
かかるラベルは、シート適用後の露出面が、ボトルＢに接着した背面シート２と同様に、紙支持体の接着面上にある。なお、知られていることだが、この接着面は、印字に適した表面（より平滑な面）とは異なる物理的な外見（マット状で粗い面）を有している。
【００７２】
これにより、特に、ロール状に保存された接着剤付きラベルを製造することが可能となる。
【００７３】
さらに、背面シート２の露出面に印字を行うのに不透明なインクを用いると共に、この同じ表面上の当該印字上にラッカーのコーティングを用いることにより、一方で背面シートに押し付けられたシートが接着されてしまうのを回避し、他方で適用したラベルの露出面には現れない印字を実施可能とする。
【００７４】
また、かかるラッカーがない場合は、背面シート２の接着面の糊を当該シートにいきわたらせても良い。
【００７５】
なお、ラベルの露出面（前面シート１）のデータ内容を背面シート２の露出面上に複写することが可能であり、これにより当該データ内容の支持物が容器の全表面に亘って必ず接着されていなければならない旨を要求するワインラベルの規定を満足するものとなることは、留意すべき点である。
【図面の簡単な説明】
【００７６】
【図１】本発明に係る２枚のシートを有するラベルを示す斜視図である。
【図２】ボトル上に配置した図１のタイプのラベルを示す図である。
【図３】前面シートを展開した状態の図２のボトルを示す図である。
【図４】３つのシートを有するラベルを示す図１に類似の図である。
【図５】前面シートが展開した位置にある図４のラベルを示す図３に類似の図である。
【図６】図１の２枚のシートを有するラベルの変形した実施形態を示す図である。
【図７】図４のラベルの変形した実施形態を示す図である。
【図８】図１のラベルの他の実施形態の横断面を示す概略図である。
【図９】図８の変形例を示す図である。
【図１０】取り外し可能な帯状部を除去し前面シートを展開した後の請求項９に係るラベルを示す図である。
【図１１】更なる他の変形例を示す図である。
【符号の説明】
【００７７】
１  前面シート
２  背面シート
３、４、６、８、１３  折曲線
５、７  帯状部
１０  タブ
１２、１４  シート
１５、１９  切り欠き
１６  延長部
１７、１８  部分
２６  接続部材
【図１】
2005518555.tif 000003
【図２】
2005518555.tif 000004
【図３】
2005518555.tif 000005
【図４】
2005518555.tif 000006
【図５】
2005518555.tif 000007
【図６】
2005518555.tif 000008
【図７】
2005518555.tif 000009
【図８】
2005518555.tif 000010
【図９】
2005518555.tif 000011
【図１０】
2005518555.tif 000012
【図１１】
2005518555.tif 000013
【国際調査報告】
2005518555.tif 000014
2005518555.tif 000015
2005518555.tif 000016
2005518555.tif 000017